(57)【特許請求の範囲】
【請求項１】
システムであって、マシン可読記憶デバイスに格納される実行可能命令を通じて少なくとも部分的に具体化されるプレゼンテーション管理システムを備え、該プレゼンテーション管理システムが、
前記マシン可読記憶デバイスに格納される前記実行可能命令の少なくとも一部を実行するように構成される少なくとも１つのデバイス・プロセッサーと、
ユーザーに関連する現在の地理的ロカールを判定するロカール判定コンポーネントと、
ユーザーに関連する現在の地理的位置および移動方向との関連付けについてユーザーのオーディオ体験を寄稿するために、前記ユーザーの要求を受け取るクラウド・ソース・データ・コンポーネントと、
前記現在の地理的ロカールに関連する１組の集計データを得る集計コンポーネントと、
前記現在の地理的ロカールに関連する地理的エリア内にあるエンティティに関連する集計データの関連性を示す近接度情報に基づいて、１組のプレゼンテーション・データを得るために、前記１組の集計データを動的に抜粋する抜粋コンポーネントと、
前記１組のプレゼンテーション・データ、前記ユーザーに関連する１つ以上の属性、および前記ユーザーに関連し動的に変化する地理的位置に基づいて、１組の個人用設定データを生成する個人用設定コンポーネントと、
前記１組の個人用設定データに基づいて、個人用設定オーディオ・データのストリームの前記ユーザーに関連する受信デバイスへの送信を、デバイス・プロセッサーによって開始するストリーミング・オーディオ・コンポーネントと
を備える、システム。
【請求項２】
請求項１記載のシステムであって、
前記クラウド・ソース・データ・コンポーネントが、前記現在の地理的ロカールに関連するクラウド・ソース・データを得て、前記クラウド・ソース・データが、人から受けたコメント、人から受けた説明、人から受信したオーディオ・ファイル、電子ソースから得た説明、電子ソースから得たオーディオ・ファイル、または電子ソースから得た属性値の内１つ以上を含む情報に基づき、
前記集計コンポーネントが、前記クラウド・ソース・データに少なくとも部分的に基づいて、前記現在の地理的ロカールに関連する１組の集計データを得る、システム。
【請求項３】
請求項１記載のシステムであって、更に、
前記ユーザーに関連する構成的方位を示す１つ以上の方位属性を得る方位判定コンポーネントを備え、
前記集計コンポーネントが、前記１つ以上の方位属性に少なくとも部分的に基づいて、および更に格納されているオーディオ・クリップに基づいて、あるいは公開されている記述、レビュー、ソーシャル・ネットワーク・サイト、または画像に関連するコメント・タグの内１つ以上に基づく自動合成によって、前記現在の地理的ロカールに関連する前記１組の集計データを得る、システム。
【請求項４】
請求項１記載のシステムにおいて、
抜粋コンポーネントが、前記現在の地理的ロカールに関連する前記地理的エリア内にあるエンティティに関連する前記集計データの関連性を示す前記近接度情報に基づいて、前記近接度情報に関連する関連性インディケーターの履歴に基づいて、前記１組のプレゼンテーション・データを得るために、前記１組の集計データを動的に抜粋する、システム。
【請求項５】
請求項１記載のシステムにおいて、
前記個人用設定コンポーネントが、前記１組のプレゼンテーション・データ、前記ユーザーに関連する前記１つ以上の属性、および前記ユーザーに関連し動的に変化する地理的位置に基づく移動の方向に基づいて、前記１組の個人用設定データを生成する、システム。
【請求項６】
請求項１記載のシステムにおいて、
前記個人用設定コンポーネントが、前記１組のプレゼンテーション・データと、前記ユーザーに関連する前記１つ以上の属性と、トークンの繰り返し、トークンの順序、単語の選択、またはトークンのコンテキストに関連する単語の判定の内１つ以上とに基づいて、前記１組の集計データに関連する順位付け機能に基づいて、前記１組の個人用設定データを生成し、
前記トークンが前記集計データのエレメントを表し、
前記単語が、前記集計データと記述的に関連付けられている、システム。
【請求項７】
請求項１記載のシステムにおいて、
前記個人用設定コンポーネントが、前記１組のプレゼンテーション・データと、前記ユーザーに関連するソーシャル・ネットワーク、前記ユーザーに関連するコンテキスト・ネットワーク、前記１組の集計データの部分に関連する１つ以上のエンティティに関連するソーシャル・ネットワーク、または前記１組の集計データの部分に関連する１つ以上のエンティティに関連するコンテキスト・ネットワークの内１つ以上とに基づいて、前記１組の個人用設定データを生成することができる、システム。
【請求項８】
請求項１記載のシステムにおいて、
前記ストリーミング・オーディオ・コンポーネントが、送信のバイノーラル・フォーマットに基づいて、前記１組の個人用設定データと前記ユーザーに関連する前記動的に変化する地理的位置とに基づいて、前記個人用設定オーディオ・データのストリームの、前記ユーザーに関連する前記受信デバイスへの送信を開始する、システム。
【請求項９】
請求項１記載のシステムにおいて、
前記ストリーミング・オーディオ・コンポーネントが、個人用設定オーディオ・データのストリームの第１エンティティ部分の音量の動的変動を含む送信フォーマットに基づいて、前記ユーザーに関連し前記動的に変化する地理的位置に対して地理的に近い前記第１エンティティの位置に基づいて、前記１組の個人用設定データに基づいて、前記個人用設定オーディオ・データのストリームの、前記ユーザーに関連する前記受信デバイスへの送信を開始する、システム。
【請求項１０】
請求項９記載のシステムにおいて、
前記個人用設定オーディオ・データのストリームの前記第１エンティティ部分の音量の前記動的変動が、前記音量のリスナー認識に基づく変動、前記ユーザーに関連し前記動的に変化する地理的位置に対して地理的に近い前記第１エンティティの位置に基づく変動、前記１組の個人用設定データに基づく変動を含む、システム。
【請求項１１】
請求項１記載のシステムにおいて、
前記ストリーミング・オーディオ・コンポーネントが、個人用設定オーディオ・データのストリームの第２エンティティ部分の方向サウンド属性の動的変動を含む送信フォーマットに基づいて、前記ユーザーに関連し前記動的に変化する地理的位置に地理的および方向的に関係する前記第２エンティティの位置に基づいて、前記１組の個人用設定データに基づいて、前記個人用設定オーディオ・データのストリームの、前記ユーザーに関連する前記受信デバイスへの送信を開始する、システム。
【請求項１２】
請求項１１記載のシステムにおいて、
前記個人用設定オーディオ・データのストリームの前記第２エンティティ部分の方向サウンド属性の前記動的変動が、前記ユーザーに関連し前記動的に変化する地理的位置に地理的および方向的に関係する前記第２エンティティから発するサウンドのリスナー認識に基づく変動を含む、システム。
【請求項１３】
請求項１記載のシステムにおいて、
前記集計コンポーネントが、前記現在の地理的ロカールに関連する前記１組の集計データを得て、前記１組の集計データの少なくとも一部が、オーディオ・データ・フォーマット以外のフォーマットの集計データを含み、
前記抜粋コンポーネントが、オーディオ・データ・フォーマット以外のフォーマットから、オーディオ・データ・フォーマットに向けて、前記１組の集計データの少なくとも一部を動的に抜粋し、
前記ロカール判定コンポーネントが、前記ユーザーの現在の物理的位置に関連するロカール情報以外の、前記ユーザーから受信したロカール情報に基づいて、前記ユーザーに関連する前記現在の地理的ロカールを判定し、
前記個人用設定コンポーネントが、前記１組のプレゼンテーション・データと、前記ユーザーに関連する１つ以上の属性と、前記現在の地理的ロカールを通過する前記ユーザーの仮想移動に基づいて前記ユーザーから受け取ったロカール情報に関連し動的に変化する地理的位置、または前記現在の地理的ロカールを通過する前記ユーザーの実際の移動に関連し動的に変化する地理的位置の内１つ以上とに基づいて、前記１組の個人用設定データを生成する、システム。
【請求項１４】
コンピュータによって実行される情報処理方法であって、
地理的エリアに関連する集計データを得るステップと、
前記地理的エリアに関連し動的に変化する地理的位置に基づいて、１組のプレゼンテーション・データを得るために、前記集計データを動的に抜粋するステップと、
前記動的に変化する地理的位置に関連するユーザーに関連する受信デバイスへの、前記１組のプレゼンテーション・データに基づく個人用設定オーディオ・データのストリームの送信を、デバイス・プロセッサーによって開始するステップであって、前記個人用設定データのバイノーラル・フォーマットを用い、該バイノーラル・フォーマットが、前記ユーザーに対して種々の方向から発するサウンド、または前記ユーザーに対して種々の位置から発するサウンドの認識を前記ユーザーに与えるように構成される、ステップと、
ユーザーのオーディオ体験を１人以上の他のリスナーと共有する要求を受けるステップと、
前記ユーザーのオーディオ体験を前記１人以上の他のリスナーと前記共有する要求の送信を開始するステップと
を含む、方法。
【請求項１５】
請求項１４記載の方法において、
前記集計データが、前記動的に変化する地理的位置に関連する地理的ロカールに関連しているクラウド・ソース・データに少なくとも部分的に基づき、該クラウド・ソース・データが、人から受けたコメント、人から受けた説明、人から受信したオーディオ・ファイル、電子ソースから得た説明、電子ソースから得たオーディオ・ファイル、または電子ソースから得た属性値の内１つ以上に基づいて得られる情報に基づく、方法。
【請求項１６】
請求項１４記載の方法において、前記１組の集計データを動的に抜粋するステップが、前記地理的エリア内にあるエンティティに関連する前記集計データの関連性を示す近接度情報に基づいて、前記１組のプレゼンテーション・データを得るために、前記１組の集計データを動的に抜粋するステップを含む、方法。
【請求項１７】
マシン読み取り可能記憶デバイス上に実体的に具体化され、実行可能コードを含むコンピューター・プログラムであって、前記実行可能コードが、少なくとも１つのデータ処理装置に、
デバイス・プロセッサーによって、受信デバイスに関連するユーザーに関連する１組の個人用設定データに基づく個人用設定オーディオ・データと、地理的エリアに関連する集計データとのストリーミング送信を求めるユーザー要求を受けさせ、
少なくとも１つのデバイス識別と、前記ユーザーに関連するユーザー識別と、前記ユーザーに関連し動的に変化する位置の指示と、前記ストリーミング送信を求める前記ユーザー要求を示す要求情報とを含むデバイス要求を送らせ、
前記デバイス要求に基づいて、前記ユーザーに関連する前記動的に変化する位置に関連する地理的ロカールに関連し、動的に抜粋された集計データに基づく１組のプレゼンテーション・データを含む前記個人用設定オーディオ・データのストリーミング送信の出力を開始させ、
前記ユーザーに関連する現在の地理的位置および移動方向と関連付けて、ユーザーのオーディオ体験の送信を開始させる
ように構成されている、コンピューター・プログラム。
【請求項１８】
請求項１７記載のコンピューター・プログラムにおいて、前記実行コードが、前記少なくとも１つのデータ処理装置に、
ストリーミング送信についてバイノーラル・フォーマットに基づいて前記個人用設定オーディオ・データの前記ストリーミング送信の出力を開始させるように構成されている、コンピューター・プログラム。
【請求項１９】
請求項１７記載のコンピューター・プログラムにおいて、前記実行コードが、前記少なくとも１つのデータ処理装置に、
ユーザーのオーディオ体験を１人以上の他のリスナーと共有するために、ユーザー要求を受けさせ、
前記ユーザーのオーディオ体験を前記１人以上の他のリスナーと共有するために、前記ユーザー要求の送信を開始させる
ように構成されている、コンピューター・プログラム。
【請求項２０】
請求項１７記載のコンピューター・プログラムにおいて、前記実行コードが、前記少なくとも１つのデータ処理装置に、
前記ユーザーに関連する現在の地理的位置および移動方向と関連付けて、ユーザーのオーディオ体験を寄稿するために、ユーザー要求を受けさせ、
前記ユーザーに関連する現在の地理的位置および移動方向と関連付けて、前記ユーザーのオーディオ体験を寄稿するために、前記ユーザー要求の送信を開始させる
ように構成されている、コンピューター・プログラム。
【発明の詳細な説明】
【技術分野】
【０００１】
[0001]  電子デバイスによって利用可能な情報が増々増えつつあるので、ユーザーは多くの異なるタイプのエンティティに関連するデータの資産(wealth)を得ることができる。例えば、ユーザーは、公に利用できる検索エンジンに検索用語を提出することができ、ユーザーに関心がある種々の項目に関する数千もの結果を受け取ることができる。他の例として、ユーザーはソーシャル・ネットワーキング・サイトにおいて情報を閲覧して、ユーザーに関心がある項目に関連する印象／格付けを誰かがポストしていないか判断することができる。また、ユーザーは、ユーザーの現在の関心事や問い合わせに関して、ユーザーに関連があるかもしれない情報を発見する試みにおいて、電子図書館情報またはｗｉｋｉを閲覧することができる。
【０００２】
[0002]  例えば、ユーザーが事業者、文化的サイト、公立公園に訪問していることもあり、または不動産の購入に関心があるエリアを訪問していることもある。ユーザーが種々のサイトに接近すると、ユーザーは彼／彼女の周囲にあるエンティティに関して、彼／彼女の頭の中で動的に質問を形成することがある。例えば、ユーザーが何らかの不快感を感じた場合、彼／彼女は彼／彼女の周囲にあるエリアと関連する最新の犯罪統計にアクセスしたくなることもある。例えば、ユーザーが買い物または食事といった活動を楽しんでいる場合、彼／彼女は彼／彼女の周囲にあるエリアに関する買い物客／食事客についての現在の「地下」情報（例えば、個人的意見および格付け）にアクセスすることから恩恵が得られることもある。
【０００３】
[0003]  他の例として、ユーザーが彼／彼女の時間を旅人として最も効率的に利用したい場合、彼／彼女は彼らが現在滞在する場所の周囲においてユーザーに関心がある場所に関して本人のために纏められたデータを望むこともある。ユーザーは、旅行の準備をする際に、彼らの旅行において彼らが考えている場所の内どこが彼らにとって最も関心があるか計画するときに、検索エンジン／オンライン地図、書籍、旅行サイト、レストラン・ガイド、ｗｉｋｉ、および旅行代理店を使用し、彼らの友人／知人と通信するのに多くの時間を費やすこともある。
【発明の概要】
【課題を解決するための手段】
【０００４】
[0004]  １つの一般的な態様によれば、プレゼンテーション管理システムは、ユーザーと関連する現在の地理的ロカール(locale)を判断するロカール判断コンポーネントを含むことができる。集計コンポーネントは、現在の地理的ロカールに関連する１組の集計データを得ることができる。抜粋コンポーネント(distilling component)は、１組の集計データを動的に抜粋して、現在の地理的ロカールに関連する地理的エリア内にあるエンティティに関連する集計データの関連性を示す近接情報に基づいて、１組のプレゼンテーション・データを得ることができる。個人用設定コンポーネント(personalization component)は、１組のプレゼンテーション・データ、ユーザーに関連する１つ以上の属性、およびユーザーに関連して動的に変化する地理的位置に基づいて、１組の個人用設定情報(personalized set of information)を生成することができる。オーディオ・ストリーミング・コンポーネントは、１組の個人用設定データに基づいて、デバイス・プロセッサーによって、個人用設定オーディオ・データのストリームの送信を、ユーザーに関連する受信デバイスに対して開始することができる。
【０００５】
[0005]  他の態様によれば、地理的エリアに関連する集計データを得ることができる。この集計データは、地理的エリアと関連して動的に変化する地理的位置に基づいて、動的に抜粋され、１組のプレゼンテーション・データを得ることができる。１組のプレゼンテーション・データに基づく個人用設定オーディオ・データのストリームの送信は、デバイス・プロセッサーによって、動的に変化する地理的位置と関連するユーザーに関連する受信デバイスに対して開始することができる。
【０００６】
[0006]  他の態様によれば、コンピューター読み取り可能媒体上に実体的に具体化されたコンピューター・プログラム生産物は、実行可能コードを含むことができる。この実行可能コードは、少なくとも１つのデータ処理装置に、デバイス・プロセッサーによって、受信デバイスに関連するユーザーに関連する１組の個人用設定データに基づく個人用設定オーディオ・データと、地理的エリアに関連する集計データとのストリーミング送信を求めるユーザー要求を受けさせることができる。更に、データ処理装置は、少なくとも１つのデバイス識別と、ユーザーに関連するユーザー識別と、ユーザーに関連し動的に変化する位置の指示と、ストリーミング送信を求めるユーザー要求を示す要求情報とを含むデバイス要求を送ることができる。更に、データ処理装置は、ユーザーに関連し動的に変化する地理的位置に関連する地理的ロカールに関連する、動的に抜粋された集計データに基づく１組のプレゼンテーション・データを含む個人用設定オーディオ・データのストリーミング送信の出力を開始することができる。
【０００７】
[0007]  この摘要は、詳細な説明の章において以下で更に説明する概念から選択したものを簡略化された形式で紹介するために設けられている。この摘要は、特許請求する主題の主要な特徴や必須の特徴を特定することを意図するのではなく、特許請求する主題の範囲を限定するために使用されることを意図するのでもない。１つ以上の実施態様の詳細を、添付図面および以下の説明において明記する。他の特徴は、その説明および図面、ならびに特許請求の範囲から明白であろう。
【図面の簡単な説明】
【０００８】
【図１】図１は、空間プレゼンテーション管理システムの一例のブロック図である。
【図２】図２は、空間プレゼンテーション管理システムの一例のブロック図である。
【図３ａ】図３ａは、図１のシステムの動作例を示すフローチャートである。
【図３ｂ】図３ｂは、図１のシステムの動作例を示すフローチャートである。
【図３ｃ】図３ｃは、図１のシステムの動作例を示すフローチャートである。
【図３ｄ】図３ｄは、図１のシステムの動作例を示すフローチャートである。
【図３ｅ】図３ｅは、図１のシステムの動作例を示すフローチャートである。
【図４】図４は、図１のシステムの動作例を示すフローチャートである。
【図５ａ】図５ａは、図２のシステムの動作例を示すフローチャートである。
【図５ｂ】図５ｂは、図２のシステムの動作例を示すフローチャートである。
【図６】図６は、地理的ロカールの一例を示す。
【図７】図７は、図１のシステムの動作に関するユーザーの行動例を示す。
【図８】図８は、図１のシステムの動作に関するユーザーの行動例を示す。
【発明を実施するための形態】
【０００９】
[0016]  空間に帰属する(spatially attributed)大量の情報が、インターネット（例えば、ワールド・ワイド・ウェブ）およびその他のソースにおいて種々の形態で利用可能になっている。この情報は、新たな記事、店舗のレビュー、オーディオ・クリップ、画像(imagery)に関連するコメントという形態、および多くの他の形態で表現されていることがある。地理的エンティティおよび位置（例えば、事業者、文化的な場所、公立公園）、または位置に関連するニュース記事に関する情報をくまなく検索し読むことは、時間がかかる可能性があり、処理し理解するために多大な労力を伴う場合もある。例えば、高密度都市環境では、数十ものこのような特集が、１つの都市ブロック内に含まれる１エリアと関連付けられていることもあり得る。
【００１０】
[0017]  一例では、移動体デバイスのユーザーが、旅行者であるときに街路に沿って歩いている間に、このような特集記事を素早く把握したいという場合があり、または地方の環境と歩調を合わせることを望む場合もある。このようなユーザーは、意味のあるコンテンツを抽出するために、地方の特徴に関する大量の情報源をくまなく検索することができるが、都市の設定では、あるいは移動体デバイスを使用している間、またはオンライン地図を使用してある場所を仮想的に訪問している間の他の状況では、これは退屈で受け入れがたいことかもしれない。
【００１１】
[0018]  実施形態例によれば、本明細書において論ずる技法は、空間関連コンテンツを組み立て、組み立てたコンテンツをフィルタリングおよび凝縮して、地理的位置に関連する、共通の、代表的な、および／または最適な表現の言い回しおよび／またはオーディオを得る。例えば、地理的位置に関連するテキスト・コンテンツに含まれる最も共通するおよび／または関連する多語句(multiple-word phrase)を特定し、使用頻度、表現、およびその他の語彙次元(lexical dimension)によって順位を付ける。実施形態例によれば、本明細書において論ずる技法は、地理的位置に関連するタグを得ることができる（例えば、ハイパーローカル・ブログ(hyperlocal blog)、ツイート、およびジオポジションFLICKR画像(geopositioned FLICKR image)に基づいて）。
【００１２】
[0019]  一実施形態例によれば、凝縮情報は、コンピューター・データベースに格納することができ、地理的位置に基づいて順番に並べることができる。要求されると、例えば、ユーザーに対する空間近接度、道の一方側における位置、またはユーザーの他の空間的次元（または仮想次元）に基づいて、および／またはユーザーに関連するコンテキスト的な優先度に基づいて、データベースから凝縮情報を抽出することができる。一実施形態例によれば、抽出した情報を、プレゼンテーション・データのストリームに組み立てることができ、このデータは、位置、地理的特徴、または特徴を混ぜ合わせたモザイクに基づいて、順番に並べることができる。
【００１３】
[0020]  一実施形態例によれば、音声シンセサイザー、音楽変調、および／またはユーザーの好みおよび動的に変化する空間位置に基づく種々の他の技法を用いて、データ・ストリームをオーディオ・ストリームに変換することができる。実施形態例によれば、本明細書において技法は、オーディオ・デバイス（例えば、スマートフォンまたは他の受信デバイスに付随するイヤホンまたはヘッドフォン）によって地方の名所(features)および観光地(site)についての情報をサンプリングし直して供給し、ユーザーが受動的にこの情報を受けることができるようにする。このコンテキストでは、「サンプリングし直した」情報は、サンプリングされた情報の１つ以上の部分を含むことができ、この情報部分を操作または処理した後に、サンプリングのフォーマットで格納することができる。このサンプリングのフォーマットは、情報の元のフォーマットとは異なってもよい。
【００１４】
[0021]  一実施形態例によれば、ユーザーの位置、進行方向、速度、およびコンテキスト的な好みを判定することができ、空間的に定位された(spatially-located)句およびオーディオを動的にオーディオ・ストリームに組み立てることができ、このオーディオ・ストリームは、ユーザーに関連する好みおよび現在の空間的次元にしたがって、個人用に設定することができる。一実施形態例によれば、このオーディオ・ストリームは、句の繰り返し、音量の変化、音程、ならびに他のオーディオおよび音楽的特性に基づいて変調し、魅力のあるそして位置同期したオーディオ体験をユーザーに提供することができる。
【００１５】
[0022]  例えば、ユーザーが街路を散歩している間に、没入するように(immersive manner)オーディオ情報を（例えば、受信デバイスを介して）受信することができる。例えば、信号は、異なる方向から来るように、ならびに異なるレベルのオーディオおよび明確さで（例えば、ソースからユーザーまでの異なる距離をシミュレーションする）ユーザーに提示することができ、一方ユーザーの視覚的感覚を、他の方法で引きつけることができる。一実施形態例によれば、オーディオ・ストリームの種々の部分のプレゼンテーションの音量、明確さ、および方向は、ユーザーに関連する現在の位置および方位に関して、メッセージの相対的な位置を表すことができる。
【００１６】
[0023]  一実施形態例によれば、異なるスピーカーが、メッセージに関連する異なる主題(subject)またはタグを表すことができる。一実施形態例によれば、ユーザーが特定の信号に関連する方向にある時間向いているとき、信号は、提示されるオーディオ・ストリームにおいて、明確さのレベルを高めて供給することができる。一実施形態例によれば、ユーザーも、彼／彼女の現在の位置および進行方向に関連付けられるように、メッセージを寄稿することができる（例えば、特定の場所または名所に関連する個人的体験に関するコメント）。
【００１７】
[0024]  一実施形態例によれば、様々なメッセージまたは信号が、メッセージまたは信号のシーケンスあるいはチェーンを形成することができ（例えば、都市の周遊に沿った説明のリスト）、１つの信号またはメッセージの終了が、シーケンスにおける次のメッセージまたは信号と関連のある位置についてのオーディオまたは指示にユーザーが従うことを示唆するようにすることができる。
【００１８】
[0025]  一実施形態例によれば、異なる意味のエリアを、その異なる意味に関連する周囲のオーディオによって表すことができる。一実施形態例によれば、ユーザーのロカールに関連する環境内で移動する人も、ユーザーのオーディオ体験において表すことができる。例えば、ユーザー以外の人が、音声評論および／または彼らが楽しんでいる音楽／詩／朗読の共有に参加することに同意し、彼らの周囲環境とともに聞くことができる。つまり、人は、彼らの周囲にいる他のユーザーに（例えば、バスの停留所において他の人々の間で）、音声で考えをブロードキャストすることができる。他の例として、ユーザーは、彼らが聞いている音楽をブロードキャストすることができる（例えば、彼らが現在楽しんでいる音楽の名称を共有することによって）。このように、ユーザーは、彼らの環境のオーディオ体験を受けることができる。この体験は静的および動的の双方である。
【００１９】
[0026]  一実施形態例によれば、本明細書において論ずる技法は、テキスト情報または他の地理的に帰属する情報を凝縮し、この凝縮した情報から得られるプレゼンテーションをオーディオ信号に（例えば、音声合成または他の技術によって）変換し、聴覚的特性を変化させて、ユーザーの観点からの望ましい体験を達成する。一実施形態例によれば、本明細書において論ずる技法は、オーディオ信号の音声生成物(audio production)を、ユーザーに関連する位置、進行方向、速度、およびその他の属性と一致するように、更には近接度および地理的エンティティまたは特徴の他の特徴と一致するように同期させることができる。このコンテキストにおいて、「テキスト」情報は、そのエレメントの相互関係に基づいて、エンティティと関連する１つ以上の属性を指すことができる。一実施形態例によれば、オーディオ信号は、オーディオ・ストリームを通じて、ユーザーに関連する受信デバイスに送信することができる。
【００２０】
[0027]  一実施形態例によれば、本明細書において論ずる技法は、位置またはロカールの概念的本質の表現を抜粋し、この抜粋バージョンを、ユーザーの観点から情報価値があり有益であるように、そして容易に消費できるフォーマットで提示することができる。
【００２１】
[0028]  一実施形態例によれば、ユーザーの位置および方位は、空間クエリ(spatial query)の１つ以上の指示を与えることができる。例えば、ユーザーに近い位置および／またはユーザーの関連する見通し線内にあるかもしれない位置（あるいは、ユーザーの受信デバイスが保持されている方向、またはユーザーに関連する現在のナビゲーション方向）と関連付けることができるデータ点を強調することもできる（例えば、オーディオ・ストリームの一部の音量レベルによって）。一実施形態例によれば、方向クエリ(directional query)によって、関連性を示すことができる。例えば、多くのユーザーの視野錐台内に物理的に位置することができるエンティティは、高いレベルの関連性を有すると解釈することができ、生成したオーディオ・ストリームにおいて、１人のユーザーに対して強調することができる。
【００２２】
[0029]  一実施形態例によれば、ある地理的地点が見える状態、言い換えるとユーザーに利用可能である状態は、これらをユーザーに提示することができる範囲および方向に関連する指示を与えることができる。例えば、大きな距離および方向の範囲から、ユーザーが大きな記念碑を見つけることがあり、この大きな記念碑を、ユーザーへのオーディオ・ストリームにおいて、その視覚範囲全体に記載、表現、または撮影(portray)することができる。他の例として、ポストがユーザーの比較的近くにある場合、ユーザーはこのポストを見ることができ、ユーザーのポストに対する近接度が、検出範囲を示すことができる。
【００２３】
[0030]  本明細書において更に論ずるが、図１は、プレゼンテーション管理用システム１００の一例のブロック図である。図１に示すように、プレゼンテーション管理システム１０２は、ユーザー１０８に関連する現在の地理的ロカール１０６を判定するロカール判定コンポーネント１０４を含むことができる。メモリ１１０は、現在の地理的ロカール１０６を含む情報を格納することができる（たとえば、現在の地理的ロカール１０６を示すインディケーター）。このコンテキストでは、「メモリ」は、データおよび／または命令を格納するように構成されている１つのメモリ・デバイスまたは多数のメモリ・デバイスを含むことができる。更に、メモリ１１０は、多数の分散記憶デバイスもその範囲に含むことができる。
【００２４】
[0031]  プレゼンテーション管理システム１０２は、更に、現在の地理的ロカール１０６に関連する１組の集計データ１１４を得る集計コンポーネント１１２を含むことができる。例えば、１組の集計データ１１４は、データベース１１６からの抽出によって得ることができる。例えば、１組の集計データ１１４は、種々のソースから得られる、テキスト記述、レビュー、コメント、およびオーディオ記録によって得ることができる。
【００２５】
[0032]  一実施形態例によれば、集計データ１１４は、格納されているオーディオ・クリップに基づいて得ることができ、あるいは、集計データ１１４は、公開されている説明、レビュー、ソーシャル・ネットワーキング・サイト、または画像に関連するコメント・タグに基づいて、自動的に合成することもできる。
【００２６】
[0033]  プレゼンテーション管理システム１０２は、更に、抜粋コンポーネント１１８も含むことができる。抜粋コンポーネント１１８は、１組の集計データ１１４を動的に抜粋して、現在の地理的ロカール１０６に関連する地理的エリア１２４の内部にあるエンティティに関連する集計データの関連性を示す近接度情報１２２に基づいて、１組のプレゼンテーション・データ１２０を得ることができる。このコンテキストでは、「抜粋する(distill)」とは、１組の集計データ１１４および／または地理的エリア１２４と関連のある属性の本質(essence)の抽出および判定を意味することができる。また、抜粋は、データデータを凝縮してコンパクト・フォーマットにすることも含むことができる。例えば、１組の集計データ１１４が近隣のレストランに関連する特定のシェフによって調理された食べ物の品質に対する多数の参照を含む場合、抜粋コンポーネント１１８は、これらの参照をフィルタリングして、その特定のシェフによって調理された食べ物またはその近隣のレストランにおいて出された食べ物の品質に関する参照の本質に関連する単語、句、オーディオ、またはテンポ(tempo)を含む１組のプレゼンテーション・データ１２０の凝縮部分を得ることができる。
【００２７】
[0034]  一実施形態例によれば、オーディオ・クリップおよび合成オーディオを、個人的およびコンテキスト的に関連のあるオーディオ・ストリームに組み立てることができる。このオーディオ・ストリームは、音程、テンポ、音量、およびその他のオーディオ変調(audio modulation)が動的に変化する。
【００２８】
[0035]  プレゼンテーション管理システム１０２は、更に、個人用設定コンポーネント１２６も含むことができる。個人用設定コンポーネント１２６は、１組のプレゼンテーション・データ１２０、ユーザー１０８に関連する１つ以上の属性１３０、およびユーザー１０８に関連し動的に変化する地理的位置１３２に基づいて、１組の個人用設定データ１２８を生成する。例えば、ユーザー１０８に関連する属性１３０に基づいて、集計データ１１４の一部を無視することができ、一方、他の部分は、ユーザー１０８のために強調することができる。
【００２９】
[0036]  一実施形態例によれば、ユーザー１０８の位置、進行方向、速度、およびコンテキスト上の好みを判定することができ、空間的に定位された(spatially located)句およびオーディオを動的にオーディオ・ストリームに組み立てることができる。このオーディオ・ストリームは、個人用設定コンポーネント１２６によって、ユーザー１０８に関連する好みおよび現在の空間的次元にしたがって、個人用に設定することができる。一実施形態例によれば、句の繰り返し、音量の変動、音程、ならびに他の音声および音楽的特性に基づいて、このオーディオ・ストリームを変調することができる。
【００３０】
[0037]  一実施形態例によれば、地理的位置１３２は、ユーザー１０８から、またはユーザー１０８に関連するデバイスから得ることができる。例えば、ユーザーに関連する計算デバイスが、汎地球測位システム（ＧＰＳ）機能を有することがあり、この機能が位置１３２を判定するための地理的座標を提供することができる。他の例として、ユーザー１０８が位置情報を提供するのでもよく、またはネットワーク上のポート・アドレスに基づいて、位置１３２を判定することもできる。また、位置１３２は、ユーザー１０８に関連する計算デバイスがワイヤレス通信を利用している場合、ワイヤレス局の位置の分析から判定することもできる。
【００３１】
[0038]  一実施形態例によれば、ユーザー１０８が位置１３２を示すこともでき、入力位置１３２によって表されるエリアを記述する「仮想」オーディオ・プレゼンテーションを受信することができる。例えば、ユーザー１０８がワシントン州、Redmondにおいて暖炉の近くに座っている間に、ユーザー１０８はイタリアにおける道の「仮想」音声説明を楽しむことができる。
【００３２】
[0039]  プレゼンテーション管理システム１０２は、更に、ストリーミング・オーディオ・コンポーネント１３４も含むことができる。ストリーミング・オーディオ・コンポーネント１３４は、１組の個人用設定データ１２８に基づいて、デバイス・プロセッサー１３６によって、個人用設定オーディオ・データ１３８のストリームの送信を、ユーザー１０８に関連する受信デバイス１４０に対して開始することができる。
【００３３】
[0040] 一実施形態例によれば、音声シンセサイザー１４１は、１組の個人用設定データ１２８に基づいて、オーディオ・データを生成することができる。例えば、１組の個人用設定データ１２８は、テキスト・データを含むことができ、ストリーミング・オーディオ・コンポーネント１３４が送信するために、音声シンセサイザー１４１によって、このテキスト・データをオーディオ・データに変換することができる。一実施形態例によれば、音声シンセサイザー１４１、または音声シンセサイザー１４１の一部は、プレゼンテーション管理システム１０２の外部に配置してもよい。例えば、音声シンセサイザー１４１（またはその一部）を、受信デバイス１４０に付随させてもよい。この場合、受信デバイス１４０によって受信されたオーディオ・データは、音声シンセサイザーによる処理のためにストリーミング・データを含むことができる（例えば、先に論じたように、音声合成のための変調に関連するインディケーターを含むテキスト・データまたはバイナリー・データ）。
【００３４】
[0041]  一実施形態例によれば、１組の個人用設定データ１２８は、音声シンセサイザー１４１による変換について音声属性の好みに関連するインディケーターを含むことができる。例えば、好みは、オーディオ・データの１つ以上の部分に関連する音声に対する性別の好み、オーディオ・データの１つ以上の部分に関連する音声の音量の好み、オーディオ・データの１つ以上の部分に関連する音声の明確さの好み（例えば、地理的位置１３２に「近い」エンティティ程明確さを高くし、地理的位置１３２から「離れた」エンティティ程、またはユーザー１０８の背後にあるエンティティ程明確さを低くする）、オーディオ・データの１つ以上の部分に関連する音声のテンポの好み（例えば、スポーツ・イベントに関連する話には速いテンポ、落胆する出来事または悲しい出来事に関連する話には遅いテンポ）を含むことができる。
【００３５】
[0042]  このコンテキストでは、「プロセッサー」は、処理システムと関連する命令を処理するように構成されている１つのプロセッサーまたは多数のプロセッサーを含むことができる。つまり、プロセッサーは、並列におよび／または分散して命令を処理する多数のプロセッサーを含むことができる。
【００３６】
[0043]  ユーザー・インターフェース・コンポーネント１４２は、ユーザー１０８とプレゼンテーション管理システム１０２との間における通信を管理することができる。ネットワーク通信コンポーネント１４４は、プレゼンテーション管理システム１０２と、１つ以上のネットワーク１４６を通じてプレゼンテーション管理システム１０２と通信する他のエンティティとの間のネットワーク通信を管理することができる。例えば、１つ以上のネットワーク１４６は、インターネット、少なくとも１つのワイヤレス・ネットワーク、または少なくとも１つの有線ネットワークの内少なくとも１つを含むことができる。例えば、１つ以上のネットワーク１４６は、セルラー・ネットワーク、無線ネットワーク、あるいはオーディオ・データのストリーミング送信および／または視覚的表示のためのデータの送信をサポートすることができるあらゆるタイプのネットワークを含むことができる。
【００３７】
[0044]  このコンテキストでは、「ストリーミング」送信とは、データの受信において比較的切断がない連続性を提供する送信を指すのであってよい。例えば、データの順序は、送信デバイスから受信デバイスまで保存することができる。例えば、送信中に欠落するデータを比較的少なくして、受信デバイス１４０において連続受信の認識を確保することができる。
【００３８】
[0045]  一実施形態例によれば、前述の送信は複数のデータ・パケットの送信を含むことができ、これらのデータ・パケットは、電子フォーマットで配信され、オーディオ・ストリームとしてレンダリングすることができる。
【００３９】
[0046]  例えば、ディスプレイ・デバイス１４８は、ユーザー１０８がプレゼンテーション管理システム１０２への彼／彼女の入力およびプレゼンテーション管理システム１０２からの応答を監視するために、視覚、聴覚、および／または感触媒体を設けることができる。例えば、ユーザー１０８は、タッチパッド、タッチスクリーン、キーボードまたはキーパッド、マウス・デバイス、トラックボール・デバイス、またはオーディオ入力デバイス、あるいは他の入力検知デバイスを介して入力を供給することができる。例えば、ユーザー１０８は、キャラクター・フォーマットにする音声認識処理のために情報を発話することができる。
【００４０】
[0047]  一実施形態例によれば、ユーザー１０８は、ディスプレイ・デバイス１４８を通じて視覚的データを見ることができ、オーディオ・データの出力を聞くことができる。このオーディオ・データは、ストリーミング・オーディオ・コンポーネント１３４を介して、受信デバイス１４０にオーディオ出力デバイス１５０の出力として送ることができる。例えば、ユーザー１０８は、ヘッドフォン、スピーカー・フォン、イヤホン、イヤー・ピース、またはスピーカーによって出力を聞くことができる。
【００４１】
[0048]  一実施形態例によれば、クラウド・ソース・データ・コンポーネント１５２は、現在の地理的ロカール１０６に関連するクラウド・ソース・データ１５４を得ることができ、このクラウド・ソース・データ１５４は、人から受けたコメント、人から受けた説明、人から受信したオーディオ・ファイル、電子ソースから得られた説明、電子ソースから得られたオーディオ・ファイル、または電子ソースから得られた属性値の内１つ以上を含む情報に基づく。一実施形態例によれば、集計コンポーネント１１２は、クラウド・ソース・データ１５４に少なくとも部分的に基づいて、地理的ロカール１０６に関連する１組の集計データ１１４を得ることができる。
【００４２】
[0049]  一実施形態例によれば、方位判定コンポーネント１５６は、ユーザー１０８に関連する構成的方位(configurational orientation)を示す１つ以上の方位属性１５８を得ることができる。例えば、方位属性１５８は、ユーザー１０８が彼／彼女の注意を集中しているかもしれない方向を示すインディケーターを含むことができる（例えば、ユーザー１０８に関連する目の焦点の方向、ユーザー１０８の身体が向いている方向、ユーザー１０８に関連するオーディオ通信の方向、ユーザー１０８が指し示している方向、ユーザー１０８が受信デバイスによって示す方向）。例えば、方位属性１５８は、ユーザー１０８に関連する移動の速度を示すインディケーターを含むことができる。
【００４３】
[0050]  例えば、方位属性１５８は、ユーザー１０８の気分を示すインディケーターを含むことができる（例えば、ユーザー１０８の顔面における微笑みまたは顰め面または緊張の検出、ユーザー１０８に関連する笑いまたはすすり泣きの検出、潜在的に高い意気または疲労を示す身体部分の速い動きまたは遅い動きの検出）。例えば、受信デバイス１４０上にあるカメラが、方位属性１５８に関係する推論のために、写真または他の空間データを供給することができる。他の例として、ユーザー１０８周囲のエリアにあるカメラ（例えば、公の観察またはセキュリティ・カメラ、周囲エリアにおける通行人(by passer)に関連するカメラ）または他の検知デバイス（例えば、衛星、セル・タワー）が、方位属性１５８に関する推論を得るときに用いることができるデータを提供することもできる。
【００４４】
[0051]  一実施形態例によれば、集計コンポーネント１１２は、１つ以上の方位属性１５８に少なくとも部分的に基づいて、現在の地理的ロカール１０６に関連する１組の集計データ１１４を得ることができる。
【００４５】
[0052]  一実施形態例によれば、抜粋コンポーネント１１８は、現在の地理的ロカール１０６に関連する地理的エリア１２４内にあるエンティティに関連する集計データ１１４の関連性を示す近接度情報１２２に基づいて、近接度情報１２２に関連する関連性インディケーター１６０の履歴に基づいて、動的に１組の集計データ１１４を抜粋して１組のプレゼンテーション・データ１２０を得ることができる。
【００４６】
[0053]  一実施形態例によれば、個人用設定コンポーネント１２６は、１組のプレゼンテーション・データ１２０、ユーザーに関連する１つ以上の属性１３０、およびユーザー１０８に関連し動的に変化する地理的位置１３２に基づく移動方向１６２に基づいて、１組の個人用設定データ１２８を生成することができる。一実施形態例によれば、追跡コンポーネント１６４は、動的に変化する地理的位置１３２に基づいて、移動方向１６２を判定することができる。一実施形態例によれば、追跡コンポーネント１６４は、ユーザー１０８に関連し動的に変化する地理的位置１３２に基づいて、移動速度を判定することができる。
【００４７】
[0054]  一実施形態例によれば、個人用設定コンポーネント１２６は、１組のプレゼンテーション・データ１２０、ユーザー１０８に関連する１つ以上の属性１３０、ならびにトークンの繰り返し、トークンの順序、単語の選択、またはトークンのコンテキストに関連する単語の判定の内１つ以上に基づいて、１組の集計データに関連する順位付け機能に基づいて、１組の個人用設定データ１２８を生成することができる。例えば、地理的位置に関連するテキスト・コンテンツに含まれる最も一般的な三語句を判定し、使用頻度、表現性、およびその他の語彙次元によって識別することができる。
【００４８】
[0055]  このコンテキストでは、「トークン」は、集計データの最も小さい原子単位（例えば、エレメント）を指すことができる。例えば、トークンは、言語の１つの単語、またはアルファベットの１つのキャラクターを含むことができる。例えば、トークンは、句に基づくコーパスに含まれる句を含むことができ、またはサウンド・クリップに基づくコーパスにおけるサウンド・クリップを含むことができる。一実施形態例によれば、単語を集計データと記述的に関連付けることができる。
【００４９】
[0056]  一実施形態例によれば、個人用設定コンポーネント１２６は、１組のプレゼンテーション・データ１２０およびユーザー１０８に関連するソーシャル・ネットワークの１つ以上、ユーザー１０８に関連するコンテキスト・ネットワーク、１組の集計データ１１４の部分に関連する１つ以上のエンティティに関連するソーシャル・ネットワーク、あるいは１組の集計データ１１４の部分に関連する１つ以上のエンティティに関連するコンテキスト・ネットワークに基づいて、１組の個人用設定データ１２８を生成することができる。
【００５０】
[0057]  例えば、ソーシャル・ネットワークは、ユーザー間における個人的関係、および彼らの個人的な好みを判定するために用いることができる。例えば、コンテキスト・ネットワークは、空間エンティティ間における関係を判定するために用いることができる。
【００５１】
[0058]  一実施形態例によれば、ストリーミング・オーディオ・コンポーネント１３４は、送信のバイノーラル・フォーマットに基づいて、ユーザー１０８に関連する１組の個人用設定データ１２８および動的に変化する地理的位置１３２に基づいて、１組の個人用設定オーディオ・データ１３８のストリームの、ユーザー１０８に関連する受信デバイス１４０への送信を開始することができる。
【００５２】
[0059]  このコンテキストでは、「バイノーラル」フォーマットとは、リスナーに対して種々の方向から発するオーディオ、またはリスナーに対して種々の位置から発するオーディオの認識をリスナーに与えるオーディオ・データのフォーマッティングのことを言う。一実施形態例によれば、このフォーマッティングは、リスナーの左耳または右耳に入るオーディオの聴覚的認識を模擬する技法に基づくことができ、この認識は、離れたところまたは近いところから発するオーディオ、あるいはリスナーに対してある角度（例えば、リスナーの上、後ろ、下、前、右、または左）から発するオーディオに基づく。例えば、オーディオは、リスナーに対して非常に離れたところから発するオーディオ、またはリスナーから遠く離れて位置するエンティティを記述するオーディオを模擬するときには、実質的に無音にすることができる。一実施形態例によれば、このフォーマッティングは、オーディオ・データに関連する変調技法に基づくことができる。
【００５３】
[0060]  一実施形態例によれば、ストリーミング・オーディオ・コンポーネント１３４は、個人用設定オーディオ・データ１３８のストリームの第１エンティティ部分の音量(sound volume)の動的変動を含む送信フォーマットに基づいて、ユーザー１０８に関連し動的に変化する地理的位置１３２に対して地理的に近い第１エンティティの位置に基づいて、１組の個人用設定データ１２８に基づいて、個人用設定オーディオ・データ１３８のストリームの、ユーザー１０８に関連する受信デバイス１４０への送信を開始することができる。
【００５４】
[0061]  一実施形態例によれば、個人用設定オーディオ・データ１３８のストリーミングの第１エンティティ部分の音量の動的変動は、リスナーの音量認識に基づく変動、ユーザー１０８に関連し動的に変化する地理的位置１３２に対して地理的に近い第１エンティティの位置に基づく変動、１組の個人用設定データ１２８に基づく変動を含むことができる。
【００５５】
[0062]  一実施形態例によれば、ストリーミング・オーディオ・コンポーネント１３４は、個人用設定オーディオ・データ１３８のストリームの第２エンティティ部分の方向オーディオ属性(directional sound attribute)の動的変動を含む送信フォーマットに基づいて、ユーザー１０８に関連し動的に変化する地理的位置１３２に地理的および方向的に(directionally)関係する第２エンティティの位置に基づいて、１組の個人用設定データ１２８に基づいて、個人用設定オーディオ・データ１３８のストリーミングの、ユーザー１０８に関連する受信デバイス１４０への送信を開始することができる。
【００５６】
[0063]  一実施形態例によれば、個人用設定オーディオ・データ１３８のストリームの第２エンティティ部分の方向オーディオ属性の動的変動は、ユーザー１０８に関連し動的に変化する地理的位置１３２に地理的および方向的に関係する第２エンティティから発するオーディオのリスナー認識に基づく変動を含むことができる。
【００５７】
[0064]  一実施形態例によれば、ストリーミング・オーディオ・コンポーネント１３４は、個人用設定オーディオ・データ1３８のストリームの第３エンティティ部分のオーディオの音程の動的変動を含む送信フォーマットに基づいて、第３エンティティに関連する１つ以上の本質属性(essence attribute)に基づいて、ユーザー１０８に関連し動的に変化する地理的位置１３２に基づいて、個人用設定オーディオ・データ１３８の、ユーザー１０８に関連する受信デバイス１４０への送信を開始することができる。
【００５８】
[0065]  一実施形態例によれば、集計コンポーネント１１２は、現在の地理的ロカール１０６に関連する１組の集計データ１１４を得ることができ、１組の集計データ１１４の少なくとも一部は、オーディオ・データ・フォーマット以外のフォーマットとした集計データを含む。一実施形態例によれば、抜粋コンポーネント１１８は、１組の集計データの少なくとも一部を、オーディオ・データ・フォーマット以外のフォーマットから動的に抜粋して、オーディオ・データ・フォーマットにすることができる。
【００５９】
[0066]  一実施形態例によれば、ロカール判定コンポーネント１０４は、ユーザー１０８の現在の物理的位置に関連するロカール情報以外の、ユーザー１０８から受け取ったロカール情報に基づいて、ユーザー１０８に関連する現在の地理的ロカール１０６を判定することができる。例えば、ユーザー１０８が自宅で彼／彼女のデスクトップの脇に座っている間にユーザー１０８が所望のロカールを通る「仮想」旅行を体験することを望むのでもよく、またはユーザー１０８が待合室（例えば、約束を待っている）に座っていて、この待合室における彼／彼女の移動体デバイスから、「仮想」体験（例えば、パリの町を散策する）を体験することを望むのでもよい。例えば、ロカール判定コンポーネント１０４は、「仮想」体験に対する所望のロカールに関連するユーザー入力に基づいて、現在の地理的ロカール１０６を判定することができる。
【００６０】
[0067]  一実施形態例によれば、個人用設定コンポーネント１２６は、１組のプレゼンテーション・データ１２０、ユーザー１０８に関連する１つ以上の属性、および現在の地理的ロカール１０６を通過するユーザー１０８の仮想移動に基づく、ユーザー１０８から受け取ったロカール情報に関連し動的に変化する地理的位置１３２、または現在の地理的ロカール１０６を通過するユーザー１０８の実際の移動に関連し動的に変化する地理的位置の内１つ以上に基づいて、１組の個人用設定データ１２８を生成することができる。つまり、ユーザー１０８は、オーディオ送信を、仮想的に、またはユーザー１０８が実際に現在の地理的ロカール１０６を通過して移動しているときに受信することを望むのでもよい。
【００６１】
[0068]  一実施形態例によれば、データベース空間データ管理コンポーネント１６６は、データベース１１６に格納されているデータを管理することができる。例えば、データベース空間データ管理コンポーネント１６６は、データベース空間データ入力デバイス１６８を介して空間データを得ることができる。データベース空間データ入力デバイス１６８は、処理およびデータベース１１６における格納のために空間データを得ることができる。一実施形態例によれば、空間データは、電子ソースから自動的に得ることができる。一実施形態例によれば、システム・アドミニストレーターが、空間データの少なくとも一部を得て、データベース１１６における格納を要求することができる。一実施形態例によれば、データベース１１６は、好みに関する情報、およびユーザー１０８に関する他の情報も格納することができる。一実施形態例によれば、データベース１１６を多数のデバイスおよび／またはサーバーに跨がって分散させてもよい。
【００６２】
[0069]  一実施形態例によれば、データベース空間データ管理コンポーネント１６６は、地理的位置に関連するテキスト・タグを得ることができる（例えば、ハイパーローカル・ブログ、ツイート、およびジオポジションFLICKR画像に基づいて）。一実施形態例によれば、空間的に関係するコンテンツをフィルタリングし凝縮して、地理的位置に関連する、共通の、代表的な、および／または最適な表現の言い回しおよび／またはオーディオを得ることができる。例えば、地理的位置に関連するテキスト・コンテンツに含まれる最も一般的な三語句を特定し、使用頻度、表現性、および他の語彙次元に基づいて順位を付けることができる（例えば、順位付け機能によって）。一実施形態例によれば、凝縮された情報をデータベース１１６に格納することができ、地理的位置に基づいて順番に並べることができる。例えば、クラウド・ソース・データ１５４を凝縮してデータベース１１６に格納し、地理的位置に基づいて順番に並べることができる。
【００６３】
[0070]  一実施形態例によれば、空間的に関係するコンテンツは、クアッド・ツリー構造(quad tree structure)のような、格納および引き出しに最適化されたデータ構造を用いて格納することができる。このコンテキストでは、クアッド・ツリー構造は、一般に、ｋ次元空間におけるポイントに対する検察ツリーを含み、各ノードがｋ次元全てに沿って分割され、端末でない各ノードが２ｋ個の子供を有することができるようになっていることは、データ処理の当業者にはお分かりであろう。例えば、ｋ＝２の場合、端末でない各ノード（例えば、内部ノード）は正確に４つの子供を有することができる。例えば、クアッド・ツリー構造は、二次元空間を繰り返し４つの四分儀または領域に再分割することによって、二次元空間を区分するために用いることができる。これらの領域は、正方形または矩形であってよく、あるいはユーザーが考案する他の形状を有してもよい。
【００６４】
[0071]  図２は、空間プレゼンテーション受信システムの一例２００のブロック図である。例えば、図２のシステムは、図１に関して先に論じた受信デバイス１４０を含むことができる。図２に示すように、プレゼンテーション受信システム２０２は、ユーザー要求受信コンポーネント２０４を含むことができる。ユーザー要求受信コンポーネント２０４は、デバイス・プロセッサー２０６によって、個人用設定オーディオ・データのストリーミング送信を求めるユーザー要求２０８を受けることができる。この要求２０８は、受信デバイス１４０に関連するユーザー１０８に関連する１組の個人用設定データ、および地理的エリアに関連する集計データに基づく。
【００６５】
[0072]  一実施形態例によれば、ユーザー・デバイスのメモリ２１０がユーザー要求２０８を格納することができる。一実施形態例によれば、デバイス・データ・レポジトリー２１２が、プレゼンテーション受信システム２０２に関連するデータを永続的に格納することができる。例えば、デバイス・データ・データ・レポジトリー２１２は、プレゼンテーション受信システム２０２に付随するディスク・ドライブまたは他の記憶媒体上に配置することができる。
【００６６】
[0073]  例えば、ユーザー１０８は、プレゼンテーション受信システム２０２に関連する入力デバイス（例えば、キーボード、タッチパッド、タッチスクリーン、マウス・クリック、音声入力を受けるためのオーディオ入力デバイス）を通じて、コンテンツに関連する１つ以上の好み、または個人用設定オーディオ・データの配信を示す入力を供給することができる。この入力は、ユーザー要求受信コンポーネント２０４によって受け取られる。
【００６７】
[0074]  デバイス要求送信コンポーネント２１４は、デバイス要求２１６を送ることができる。デバイス要求２１６は、少なくとも１つのデバイス識別、ユーザー１０８に関連するユーザー識別、ユーザー１０８に関連し動的に変化する位置２１８のインディケーター、およびストリーミング送信を求めるユーザー要求２０８を示す要求情報を含む。一実施形態例によれば、デバイス要求２１６をプレゼンテーション配信サービスに送ることができる（例えば、プレゼンテーション管理システム１０２を通じて）。例えば、ユーザー要求受信コンポーネント２０４への入力は、プレゼンテーション管理システム１０２への送信のために、デバイス要求２１６に含ませてもよい。
【００６８】
[0075]  オーディオ入力インターフェース・コンポーネント２２０は、要求された個人用設定オーディオ・データのストリーミング送信に関連するストリーミング・オーディオ入力を開始することができる。例えば、オーディオ入力インターフェース・コンポーネント２２０は、要求された個人用設定オーディオ・データの、オーディオ出力デバイス１５０への、要求されたストリーミング送信のためのストリーミング・オーディオ入力を開始することができる。
【００６９】
[0076]  ストリーミング・オーディオ出力インターフェース・コンポーネント２２２は、個人用設定オーディオ・データのストリーミング送信の出力を開始することができる。この個人用設定オーディオ・データは、ユーザー１０８に関連し動的に変化する位置２１８に関連する地理的ロカールに関連し、動的に抜粋された集計データに基づく１組のプレゼンテーション・データを含む。
【００７０】
[0077]  一実施形態例によれば、地理的ロカールに関連し動的に抜粋された集計データは、先に論じたように、地理的ロカールに関連するクラウド・ソース・データに少なくとも部分的に基づく1組の集計データに基づくことができる。一実施形態例によれば、クラウド・ソース・データは、人から受けた１つ以上のコメント、人から受けた説明、人から受信したオーディオ・ファイル、電子ソースから得られた説明、電子ソースから得られたオーディオ・ファイル、または電子ソースから得られた属性値に基づいて得られた情報に基づくことができる。
【００７１】
[0078]  一実施形態例によれば、ストリーミング・オーディオ出力インターフェース・コンポーネント２２２は、ストリーミング送信のバイノーラル・フォーマットに基づいて、個人用設定オーディオ・データのストリーミング送信の出力を開始することができる。一実施形態例によれば、ユーザー要求受信コンポーネント２０４は、ユーザーのオーディオ体験を１人以上の他のリスナーと共有するユーザーの要求２０８を受けることができる。
【００７２】
[0079]  一実施形態例によれば、デバイス要求送信コンポーネント２１４は、ユーザーのオーディオ体験を１人以上の他のリスナーと共有するユーザー要求２０８の送信を開始することができる。一実施形態例によれば、ユーザー要求受信コンポーネント２０４は、ユーザー１０８に関連する現在の地理的位置２１８および移動方向と関連付けて、ユーザーのオーディオ体験に寄与するために、ユーザー要求２０８を受けることができる。
【００７３】
[0080]  一実施形態例によれば、デバイス要求送信コンポーネント２１４は、ユーザー１０８に関連する現在の地理的位置２１８および移動方向と関連付けて、ユーザーのオーディオ体験を寄稿するために、ユーザー要求２０８の送信を開始することができる。一実施形態例によれば、ユーザー・データ送信コンポーネント２２４は、ユーザー１０８に関連する現在の地理的位置２１８および移動方向と関連付けて、ユーザーのオーディオ体験の送信を開始することができる。
【００７４】
[0081]  一実施形態例によれば、受信ユーザー・インターフェース・コンポーネント２２６は、ユーザー１０８とプレゼンテーション受信システム２０２との間における通信を管理することができる。例えば、ディスプレイ１４８およびオーディオ出力デバイス１５０は、内部デバイス・バス通信を通じて、または少なくとも１つのネットワーク接続を通じて、プレゼンテーション受信システム２０２と通信することができる。
【００７５】
[0082]  一実施形態例によれば、プレゼンテーション受信システム２０２は、受信ネットワーク通信コンポーネント２２８を含むことができる。受信ネットワーク通信コンポーネント２２８は、プレゼンテーション受信システム２０２と、このプレゼンテーション受信システム２０２と通信することができる他のエンティティとの間における、少なくとも１つのネットワーク１４６を通じたネットワーク通信を管理することができる。例えば、少なくとも１つのネットワーク１４６は、インターネット、少なくとも１つのワイヤレス・ネットワーク、または少なくとも１つの有線ネットワークの内少なくとも１つを含むことができる。例えば、少なくとも１つのネットワーク１４６は、セルラー・ネットワーク、無線ネットワーク、あるいはオーディオ・データのストリーミング送信および／または仮想表示のためのデータの送信をサポートすることができるあらゆるタイプのネットワークを含むことができる。例えば、受信ネットワーク通信コンポーネント２２８は、プレゼンテーション受信システム２０２とプレゼンテーション管理システム１０２との間におけるネットワーク通信を管理することができる。例えば、受信ネットワーク通信コンポーネント２２８は、受信ユーザー・インターフェース・コンポーネント２２６とプレゼンテーション管理システム１０２との間におけるネットワーク通信を管理することができる。
【００７６】
[0083]  図３ａから図３ｅは、一実施形態による、図１のシステムの動作例を示すフローチャート３００である。図３ａの例では、ユーザーに関連する現在の地理的ロカールを判定することができる（３０２）。例えば、ロカール判定コンポーネント１０４は、先に論じたように、ユーザー１０８に関連する現在の地理的ロカール１０６を判定することができる。
【００７７】
[0084]  現在の地理的ロカールに関連する１組の集計データを得ることができる（３０４）。例えば、集計コンポーネント１１２は、先に論じたように、現在の地理的ロカール１０６に関連する１組の集計データ１１４を得ることができる。現在の地理的ロカールに関連する地理的エリア内にあるエンティティと関連する集計データの関連性を示す近接度情報に基づいて、１組の集計データを動的に抜粋して、１組のプレゼンテーション・データを得ることができる（３０６）。例えば、抜粋コンポーネント１１８は、先に論じたように、現在の地理的ロカール１０６に関連する地理的エリア１２４内にあるエンティティに関連する集計データの関連性を示す近接度情報１２２に基づいて、１組の集計データ１１４を動的に抜粋して、１組のプレゼンテーション・データ１２０を得ることができる。
【００７８】
[0085]  １組の個人用設定データは、１組のプレゼンテーション・データ、ユーザーに関連する１つ以上の属性、およびユーザーに関連し動的に変化する地理的位置に基づいて生成することができる（３０８）。例えば、個人用設定コンポーネント１２６は、先に論じたように、１組のプレゼンテーション・データ１２０、ユーザー１０８に関連する１つ以上の属性１３０、およびユーザー１０８に関連し動的に変化する地理的位置１３２に基づいて、１組の個人用設定データ１２８を生成することができる。
【００７９】
[0086]  １組の個人用設定データに基づいて、デバイス・プロセッサーによって、個人用設定オーディオ・データのストリーム、ユーザーに関連する受信デバイスへの送信を開示することができる（３１０）。例えば、ストリーミング・オーディオ・コンポーネント１３４は、デバイス・プロセッサー１３６によって、先に論じたように、１組の個人用設定データ１２８に基づいて、ユーザー１０８に関連する受信デバイス１４０への個人用設定オーディオ・データ１３８のストリームの送信を開始することができる。
【００８０】
[0087]  一実施形態例によれば、現在の地理的ロカールに関連するクラウド・ソース・データを得ることができ（３１２）、このクラウド・ソース・データは、人から受けた１つ以上のコメント、人から受けた説明、人から受信したオーディオ・ファイル、電子ソースから得られた説明、電子ソースから得られたオーディオ・ファイル、または電子ソースから得られた属性値の内１つ以上に基づいて得られた情報に基づく。例えば、クラウド・ソース・データ・コンポーネント１５２は、現在の地理的ロカール１０６に関連するクラウド・ソース・データ１５４を得ることができ、このクラウド・ソース・データ１５４は、先に論じたように、人から受けた１つ以上のコメント、人から受けた説明、人から受信したオーディオ・ファイル、電子ソースから得られた説明、電子ソースから得られたオーディオ・ファイル、または電子ソースから得られた属性値の内１つ以上に基づいて得られた情報に基づく。一実施形態例によれば、現在の地理的ロカールに関連する１組の集計データは、クラウド・ソース・データに少なくとも部分的に基づいて得ることができる。
【００８１】
[0088]  一実施形態例によれば、ユーザーに関連する構成的方位(configurational orientation)を示す１つ以上の方位属性を得ることができる（３１４）。例えば、方位判定コンポーネント１５６は、先に論じたように、ユーザー１０８と関連する構成的方位を示す１つ以上の方位属性１５８を得ることができる。一実施形態例によれば、現在の地理的ロカールに関連する１組の集計データは、１つ以上の方位属性に少なくとも部分的に基づいて得ることができる。
【００８２】
[0089]  一実施形態例によれば、現在の地理的ロカールに関連する地理的エリア内にあるエンティティに関連する集計データの関連性を示す近接度情報に基づいて、近接度情報に関連する関連性インディケーターの履歴に基づいて、１組の集計データを動的に抜粋して１組のプレゼンテーション・データを得ることができる（３１６）。例えば、抜粋コンポーネント１１８は、先に論じたように、現在の地理的ロカール１０６に関連する地理的エリア１２４内にあるエンティティに関連する集計データ１１４の関連性を示す近接度情報１２２に基づいて、近接度情報１２２に関連する関連性インディケーター１６０の履歴に基づいて、１組の集計データ１１４を動的に抜粋して１組のプレゼンテーション・データ１２０を得ることができる。
【００８３】
[0090]  一実施形態例によれば、１組の個人用設定データは、１組のプレゼンテーション・データ、ユーザーに関連する１つ以上の属性、およびユーザーに関連し動的に変化する地理的位置に基づく移動方向に基づいて生成することができる（３１８）。例えば、個人用設定コンポーネント１２６は、先に論じたように、１組のプレゼンテーション・データ１２０、ユーザーに関連する１つ以上の属性１３０、およびユーザー１０８に関連し動的に変化する地理的位置１３２に基づく移動方向１６２に基づいて、１組の個人用設定データ１２８を生成することができる。
【００８４】
[0091]  一実施形態例によれば、１組の個人用設定データは、１組のプレゼンテーション・データ、ユーザーに関連する１つ以上の属性、ならびにトークンの繰り返し、トークンの順序、単語の選択、または１組の集計データに関連する順位付け機能に基づくトークンのコンテキストに関連する単語の判定の内１つ以上に基づいて、生成することができ、トークンは、集計データのエレメントを表し、単語は、集計データと記述的に関連付けられている（３２０）。例えば、個人用設定コンポーネント１２６は、先に論じたように、１組のプレゼンテーション・データ１２０、ユーザー１０８に関連する１つ以上の属性１３０、ならびにトークンの繰り返し、トークンの順序、単語の選択、または１組の集計データに関連する順位付け機能に基づくトークンのコンテキストに関連する単語の判定の内１つ以上に基づいて、１組の個人用設定データ１２８を生成することができる。
【００８５】
[0092]  一実施形態例によれば、１組の個人用設定データは、１組のプレゼンテーション・データと、ユーザーに関連するソーシャル・ネットワーク、ユーザーに関連するコンテキスト・ネットワーク、１組の集計データの部分に関連する１つ以上のエンティティに関連するソーシャル・ネットワーク、または１組の集計データの部分に関連する１つ以上のエンティティに関連するコンテキスト・ネットワークの内１つ以上とに基づいて生成することができる（３２２）。例えば、個人用設定コンポーネント１２６は、１組のプレゼンテーション・データ１２０と、ユーザー１０８に関連するソーシャル・ネットワーク、ユーザー１０８に関連するコンテキスト・ネットワーク、１組の集計データ１１４の部分に関連する１つ以上のエンティティに関連するソーシャル・ネットワーク、または１組の集計データ１１４の部分に関連する１つ以上のエンティティに関連するコンテキスト・ネットワークの内１つ以上とに基づいて、１組の個人用設定データ１２８を生成することができる。
【００８６】
[0093]  一実施形態例によれば、個人用設定オーディオ・データのストリームの、ユーザーに関連する受信デバイスへの送信は、送信のバイノーラル・フォーマットに基づいて、１組の個人用設定データおよびユーザーに関連し動的に変化する地理的位置に基づいて開始することができる（３２４）。例えば、ストリーミング・オーディオ・コンポーネント１３４は、先に論じたように、送信のバイノーラル・フォーマットに基づいて、１組の個人用設定データ１２８およびユーザー１０８に関連し動的に変化する地理的位置１３２に基づいて、個人用設定オーディオ・データ１３８のストリームの、ユーザー１０８に関連する受信デバイス１４０への送信を開始することができる。
【００８７】
[0094]  一実施形態例によれば、個人用設定オーディオ・データのストリームの、ユーザーに関連する受信デバイスへの送信は、個人用設定オーディオ・データのストリームの第３エンティティ部分のオーディオの音程の動的変動を含む送信フォーマットに基づいて、第３エンティティに関連する１つ以上の本質属性に基づいて、ユーザーに関連し動的に変化する地理的位置に基づいて開始することができる。例えば、ストリーミング・オーディオ・コンポーネント１３４は、先に論じたように、個人用設定オーディオ・データのストリーム１３８の第３エンティティ部分のオーディオの音程の動的変動を含む送信フォーマットに基づいて、第３エンティティに関連する１つ以上の本質属性に基づいて、ユーザー１０８に関連し動的に変化する地理的位置１３２に基づいて、個人用設定オーディオ・データ１３８のストリームの、ユーザー１０８に関連する受信デバイス１４０への送信を開始することができる。
【００８８】
[0095]  一実施形態例によれば、現在の地理的ロカールに関連する１組の集計データを得ることができる。この１組の集計データの少なくとも一部は、オーディオ・データ・フォーマット以外のフォーマットとした集計データを含むことができる（３２６）。例えば、集計コンポーネント１１２は、先に論じたように、現在の地理的ロカール１０６に関連する１組の集計データ１１４を得ることができ、この１組の集計データ１１４の少なくとも一部は、オーディオ・データ・フォーマット以外のフォーマットとした集計データを含む。
【００８９】
[0096]  一実施形態例によれば、１組の集計データの少なくとも一部を動的に抜粋して、オーディオ・データ・フォーマット以外のフォーマットから、オーディオ・データ・フォーマットにすることができる（３２８）。例えば、抜粋コンポーネント１１８は、先に論じたように、１組の集計データの少なくとも一部を動的に抜粋して、オーディオ・データ・フォーマット以外のフォーマットから、オーディオ・データ・フォーマットにすることができる。
【００９０】
[0097]  一実施形態例によれば、ユーザーに関連する現在の地理的ロカールを、ユーザーの現在の地理的位置に関連するロカール情報以外の、ユーザーから受け取ったロカール情報に基づいて判定することができる（３３０）。例えば、ロカール判定コンポーネント１０４は、先に論じたように、ユーザー１０８の現在の物理的位置に関連するロカール情報以外のユーザー１０８から受け取ったロカール情報に基づいて、ユーザー１０８に関連する現在の地理的ロカール１０６を判定することができる。
【００９１】
[0098]  一実施形態例によれば、１組の個人用設定データは、１組のプレゼンテーション・データ、ユーザーに関連する１つ以上の属性、および現在の地理的ロカールを通過するユーザーの仮想移動に基づき、ユーザーから受け取ったロカール情報に関連し動的に変化する地理的位置、または現在の地理的ロカールを通過するユーザーの実際の移動に関連し動的に変化する地理的位置の内１つ以上に基づいて生成することができる（３３２）。例えば、個人用設定コンポーネント１２６は、１組のプレゼンテーション・データ１２０、ユーザー１０８に関連する１つ以上の属性、および現在の地理的ロカール１０６を通過するユーザー１０８の仮想移動に基づき、ユーザー１０８から受け取ったロカール情報に関連し動的に変化する地理的位置１３２、または現在の地理的ロカール１０６を通過するユーザー１０８の実際の移動に関連し動的に変化する地理的位置の内１つ以上に基づいて、１組の個人用設定データ１２８を生成することができる。
【００９２】
[0099]  一実施形態例によれば、個人用設定オーディオ・データのストリームの、ユーザーに関連する受信デバイスへの送信は、個人用設定オーディオ・データのストリームの第１エンティティ部分の音量の動的変動を含む送信フォーマットに基づいて、ユーザーに関連し動的に変化する地理的位置に対して地理的に近い第１エンティティの位置に基づいて、１組の個人用設定データに基づいて開始することができる（３３４）。例えば、ストリーム・オーディオ・コンポーネント１３４は、先に論じたように、個人用設定オーディオ・データ１３８のストリームの第１エンティティ部分の音量の動的変動を含む送信フォーマットに基づいて、ユーザー１０８に関連し動的に変化する地理的位置１３２に対して地理的に近い第１エンティティの位置に基づいて、１組の個人用設定データ１２８に基づいて、個人用設定オーディオ・データ１３８のストリームの、ユーザー１０８に関連する受信デバイス１４０への送信を開始することができる。
【００９３】
[0100]  一実施形態例によれば、個人用設定オーディオ・データのストリームの第１エンティティ部分の音量の動的変動は、この音量のリスナーの認識に基づく変動、ユーザーに関連し動的に変化する地理的位置に対して地理的に近い第１エンティティの位置に基づく変動、１組の個人用設定データに基づく変動を含むことができる（３３６）。
【００９４】
[0101]  一実施形態例によれば、個人用設定オーディオ・データのストリームの、ユーザーに関連する受信デバイスへの送信は、個人用設定オーディオ・データのストリームの第２エンティティ部分の方向オーディオ属性の動的な変動を含む送信フォーマットに基づいて、ユーザーに関連し動的に変化する地理的位置に地理的および方向的に関係する第２エンティティの位置に基づいて、１組の個人用設定データに基づいて開始することができる（３３８）。例えば、ストリーム・オーディオ・コンポーネント１３４は、個人用設定オーディオ・データ１３８のストリームの第２エンティティ部分の方向オーディオ属性の動的な変動を含む送信フォーマットに基づいて、ユーザー１０８に関連し動的に変化する地理的位置１３２に地理的および方向的に関係する第２エンティティの位置に基づいて、１組の個人用設定データ１２８に基づいて、個人用設定オーディオ・データ１３８のストリームの、ユーザー１０８に関連する受信デバイス１４０への送信を開始することができる。
【００９５】
[0102]  一実施形態例によれば、個人用設定オーディオ・データのストリームの第２エンティティ部分の方向オーディオ属性の動的変動は、ユーザーに関連し動的に変化する地理的位置に地理的および方向的に関係する第２エンティティから発するオーディオのリスナーの認識に基づく変動を含むことができる（３４０）。
【００９６】
[0103]  図４は、一実施形態による、図１のシステムの動作例を示す。図４の例では、地理的エリアに関連する集計データを得ることができる（４０２）。例えば、集計コンポーネント１１２は、先に論じたように、地理的エリアに関連する１組の集計データ１１４を得ることができる。
【００９７】
[0104]  地理的エリアに関連し動的に変化する地理的位置に基づいて、集計データを動的に抜粋して１組のプレゼンテーション・データを得ることができる。例えば、抜粋コンポーネント１１８は、先に論じたように、地理的エリア１２４内部にあるエンティティに関連する集計データの関連性を示す近接度情報１２２に基づいて、１組の集計データ１１４を動的に抜粋して１組のプレゼンテーション・データ１２０を得ることができる。
【００９８】
[0105]  1組のプレゼンテーション・データに基づく個人用設定オーディオ・データのストリームの、動的に変化する地理的位置に関連するユーザーに関連する受信デバイスへの送信は、デバイス・プロセッサーによって開始することができる（４０６）。例えば、ストリーミング・オーディオ・コンポーネント１３４は、先に論じたように、デバイス・プロセッサー１３６によって、個人用設定オーディオ・データ１３８のストリームの、ユーザー１０８に関連する受信デバイス１４０への送信を開始することができる。
【００９９】
[0106]  一実施形態例によれば、集計データは、動的に変化する地理的位置に関連する地理的ロカールに関連するクラウド・ソース・データに少なくとも部分的に基づくことができ、クラウド・ソース・データは、人から受けた１つ以上のコメント、人から受けた説明、人から受信したオーディオ・ファイル、電子ソースから得られた説明、電子ソースから得られたオーディオ・ファイル、または電子ソースから得られた属性値に基づいて得られた情報の内１つ以上に基づく（４０８）。
【０１００】
[0107]  一実施形態例によれば、１組の集計データを動的に抜粋するとき、地理的エリア内を通過するエンティティに関連する集計データの関連性を示す近接度情報に基づいて、１組のプレゼンテーション・データを得るために、１組の集計データを動的に抜粋することができる（４１０）。例えば、抜粋コンポーネント１１８は、先に論じたように、地理的エリア１２４内にあるエンティティに関連する集計データ１１４の関連性を示す近接度情報１２２に基づいて、１組のプレゼンテーション・データ１２０を得るために、１組の集計データ１１４を動的に抜粋する。
【０１０１】
[0108]  図５ａおよび図５ｂは、一実施形態による、図２のシステムの動作例を示すフローチャート５００である。図５ａの例では、受信デバイスに関連するユーザーに関連する１組の個人用設定データと、地理的エリアに関連する集計データとに基づく個人用設定オーディオ・データのストリーム送信を求めるユーザー要求を、ユーザー・デバイス・プロセッサーによって受けることができる（５０２）。例えば、要求受信コンポーネント２０４は、先に論じたように、ユーザー・デバイス・プロセッサー２０６によって、受信デバイス１４０に関連するユーザー１０８に関連する１組の個人用設定データと、地理的エリアに関連する集計データとに基づく個人用設定オーディオ・データのストリーム送信を求めるユーザー要求２０８を受けることができる。
【０１０２】
[0109]  少なくとも１つのデバイス識別、ユーザーに関連するユーザー識別、ユーザーに関連し動的に変化する位置のインディケーター、およびストリーム送信を求めるユーザー要求を示す要求情報を含むデバイス要求を送ることができる（５０４）。例えば、デバイス要求送信コンポーネント２１４は、少なくとも１つのデバイス識別、ユーザー１０８に関連するユーザー識別、ユーザー１０８に関連し動的に変化する位置２１８のインディケーター、およびストリーム送信を求めるユーザー要求２０８を示す要求情報を含むデバイス要求２１６を送ることができる。
【０１０３】
[0110]  一実施形態例によれば、要求された個人用設定オーディオ・データのストリーム送信のストリーミング・オーディオ入力を開始することができる。例えば、オーディオ入力インターフェース・コンポーネント２２０は、先に論じたように、要求された個人用設定オーディオ・データのストリーミング送信に関連するストリーミング・オーディオ入力を開始することができる。
【０１０４】
[0111]  ユーザーに関連し動的に変化する位置に関連する地理的ロカールに関連し動的に抜粋された集計データに基づく１組のプレゼンテーション・データを含む個人用設定オーディオ・データのストリーミング送信の出力を開始することができる（５０６）。例えば、ストリーム・オーディオ出力インターフェース・コンポーネント２２２は、先に論じたように、ユーザー１０８に関連し動的に変化する位置２１８に関連する地理的ロカールに関連し動的に抜粋された集計データに基づく１組のプレゼンテーション・データを含む個人用設定オーディオ・データのストリーミング送信の出力を開始することができる。
【０１０５】
[0112]  一実施形態例によれば、個人用設定オーディオ・データのストリーミング送信の出力は、ストリーミング送信のバイノーラル・フォーマットに基づいて開始することができる（５０８）。例えば、ストリーミング・オーディオ出力インターフェース・コンポーネント２２２は、先に論じたように、ストリーミング送信のバイノーラル・フォーマットに基づいて、個人用設定オーディオ・データのストリーミング送信の出力を開始することができる。
【０１０６】
[0113]  一実施形態例によれば、ユーザーのオーディオ体験を１人以上の他のリスナーと共有することを求めるユーザー要求を受けることができる（５１２）。例えば、ユーザー要求受信コンポーネント２０４は、先に論じたように、ユーザーのオーディオ体験を１人以上の他のリスナーと共有することを求めるユーザー要求２０８を受けることができる。
【０１０７】
[0114]  一実施形態例によれば、ユーザーのオーディオ体験を１人以上の他のリスナーと共有することを求めるユーザー要求の送信を開示することができる（５１４）。例えば、デバイス要求送信コンポーネント２１４は、先に論じたように、ユーザーのオーディオ体験を１人以上の他のリスナーと共有することを求めるユーザー要求２０８の送信を開示することができる。
【０１０８】
[0115]  一実施形態例によれば、ユーザーに関連する現在の地理的位置および移動方向と関連付けて、ユーザーのオーディオ体験を寄稿することを求めるユーザー要求を受けることができる（５１６）。例えば、ユーザー要求受信コンポーネント２０４は、先に論じたように、ユーザー１０８に関連する現在の地理的位置２１８および移動方向と関連付けて、ユーザーのオーディオ体験を寄稿することを求めるユーザー要求２０８を受けることができる。
【０１０９】
[0116]  一実施形態例によれば、ユーザーに関連する現在の地理的位置および移動方向と関連付けて、ユーザーのオーディオ体験を寄稿するユーザー要求の送信を開始することができる（５１８）。例えば、デバイス要求送信コンポーネント２１４は、先に論じたように、ユーザー１０８に関連する現在の地理的位置２１８および移動方向と関連付けて、ユーザーのオーディオ体験を寄稿することを求めるユーザー要求２０８の送信を開始することができる。
【０１１０】
[0117]  一実施形態例によれば、ユーザーに関連する現在の地理的位置および移動方向と関連付けて、ユーザーのオーディオ体験の送信を開始することができる（５２０）。例えば、ユーザー・データ送信コンポーネント２２４は、先に論じたように、ユーザー１０８に関連する現在の地理的位置２１８および移動方向に関連付けて、ユーザーのオーディオ体験の送信を開示することができる。
【０１１１】
[0118]  図６は、地理的ロカールの一例６００を示す。図６に示すように、建物６０４、６０６、６０８、６１０、６１２、６１４、６１６、６１８、６２０、および６２２、ならびに地所(lot)６２４がある街区６０２が示されている。また、２つの時点６２６および６２８も示されている。各建物、地所、および地点には、それぞれの建物、地所、または地点に関連するコメントを含む記述、またはタグが付随する。例えば、この記述またはタグは、種々のオンライン媒体を通じて入手可能であるとよく、または１人以上のユーザー１０８からのプレゼンテーション管理システム１０２によって受け取られた寄稿であってもよい。例えば、建物６０４にはコメント６３０および６３２が付随することができ、これらはピザ店および高級靴店に関連するコメントまたは記述を含む。例えば、建物６０６にはコメント６３４が付随し、建物６０８にはコメント６３６が付随し、建物６１０にはコメント６３８および６４０が付随し、地点６２６（建物６１０の前にある歩道上に示されている）にはコメント６４２および６４４が付随することができる。
【０１１２】
[0119]  道路６０２にはコメント６４６が付随することができ、この道路は、「Wayward通り−散歩向き、暗くなった後でも安全」と記述されているのでもよい。
[0120]  図６に示すように、建物６２２にはコメント６４８が付随し、建物６２０にはコメント６５０が付随し、建物６１８にはコメント６５２が付随し、建物６１６にはコメント６５４が付随し、地所６２４にはコメント６５６（例えば、「売地」の状態、およびこの地所６２４の価格を示す）が付随することができる。建物６１４にはコメント６５８、６６０、６６２が付随し、建物６１２にはコメント６４４および６６６が付随し、地点６２８にはコメント６６８が付随することができる。
【０１１３】
[0121]  先に論じたように、コメントまたは記述は、プレゼンテーション管理システム１０２によって得られ、後に引き出すためにデータベース１１６に格納することができ、または他のリスナーが受信するために、ユーザー１０８によって動的にブロードキャストすることもできる。先に論じたように、各コメントまたは記述には地理的位置またはエリアが関連付けられており、更に地理的位置の範囲も関連付けることができる。つまり、ユーザーが道路６０２を歩いて行くと、オーディオ・ストリームによって、それぞれのコメントが関連付けられた建物、地所、または地点の方向および外観(perspective)を示す聴取体験によって、個人的な情報および／またはユーザーに関連する現在地、速度、向き、または進行方向に関して、種々のコメントをユーザーに送信することができる。
【０１１４】
[0122]  図７は、図１のシステムの動作に関係するユーザーの行動例を示す。図７に示すように、ユーザー７０２は、プレゼンテーション管理システム１０２によって送られるオーディオ・ストリーム送信を聞きながら、道路６０２に沿って歩くことができる（例えば、図示のように、図７の左側から図７の右側に歩く）。先に論じたように、図７に示す各建物、地所、または地点に関連するコメントを、個人用に設定するように抜粋および／または凝縮することができ、ユーザー７０２に関連する現在地、速度、向き、または進行方向に関する、それぞれの建物、地所、または地点に関連する地理的位置またはエリアからオーディオが発するような雰囲気をリスナーに与えるフォーマットにしたがって、個人用設定オーディオ送信を送ることができる。このように、図７に示す個人用に設定されたコメントは、視覚的に、それぞれの建物、地所、または地点から発するように見え、個人用に設定されたオーディオ・ストリーム送信は、プレゼンテーション管理システム１０２によって、ユーザー７０２に関連する受信デバイス（例えば、受信デバイス１４０）に送信するために、先に論じたように、それぞれの建物、地所、または地点に関連する地理的位置またはエリアからオーディオが発するような雰囲気をリスナーに与えるフォーマット（例えば、バイノーラル・フォーマット）にしたがって、開始することができる。
【０１１５】
[0123]  図７に示すように、ユーザー７０２には、現在、建物６０６の前にある歩道上の地点に対応する地理的位置と関連付けられており、建物６０８および６１０に向かう方向に進んでいる。図７に示すように、ユーザー７０２の現在の位置は、つまり、道路６０２をはさんで、建物６１２、６１４、６１６、６１８、６２０、および６２２、地所６２４、ならびに地点６２８の向かい側にいる。このため、建物６０４に付随するコメント７３０（例えば、コメント６３０から派生され、個人用に設定された抜粋クリップ）がオーディオ・データにしたがって送信されるとよく、ユーザー７０２の左肩の背後から発するオーディオを伴う雰囲気をリスナーに与える。建物６０６に付随するコメント７３４および７３６（例えば、コメント６３４および６３６から派生され、個人用に設定された抜粋クリップ）は、オーディオ・データにしたがって送信され、ユーザー７０２の左側の地理的エリアから（例えば、建物６０６から）発するオーディオを伴うように個人用に設定された雰囲気をリスナーに与えることができる。
【０１１６】
[0124]  同様に、建物６０８に付随するコメント７３８（例えば、コメント６３８から派生され、個人用に設定された抜粋クリップ）、ならびに建物６１０に付随するコメント７３８および７４０（例えば、コメント６３８および６４０から派生され、個人用に設定された抜粋クリップ）が、オーディオ・データにしたがってユーザー７０２に送信され、ユーザー７０２の左および前から（例えば、それぞれ、建物６０８および６１０から）発するオーディオを伴うように個人用に設定された雰囲気をリスナーに与えることができる。
【０１１７】
[0125]  図７に示すように、地点６２６に関連して、個人用に設定された抜粋メッセージまたはコメント７４２は、求婚に関連する句（例えば、コメント６４２に関連して、個人用に設定された凝縮メッセージ）を含むことができる。この句は、音楽的背景と共に提供するとよく（例えば、コメント６４４によって示される歌にしたがって）、現在ユーザー７０２の前にある地点６２６から発するオーディオを伴う雰囲気をリスナーに与えるオーディオ・データにしたがって、ユーザー７０２に送信されるとよい。例えば、マイクという名前のユーザーが、エープリルに対する求婚に関するコメント６４２を、２０１０年４月１５日に、地点６２６と関連付けて（例えば、彼が時点６２６においてエープリルに求婚した日の地理的備忘録として）寄稿したのでもよい。歌（例えば、「恋は水色」）を示すコメント６４４は、求婚のコメント６４２によって悲しみ／同感を感じたユーザー（例えば、マイクを含む）によって寄稿されたのでもよい。
【０１１８】
[0126]  一実施形態例によれば、１つ以上のエンティティ（例えば、ワシントンの記念碑）が、道路６０２上を歩いている歩行者の見通し線内に入る場合、見ることができるエンティティが道路６０２から長距離のところに位置していても、ユーザーに関連する属性１３０に基づいて、見ることができるエンティティに対する参照を、送信されるオーディオ・ストリームの中に織り交ぜることもできる。
【０１１９】
[0127]  道路６０２に付随するコメント７４６（例えば、コメント６４６から派生され、個人用に設定された抜粋クリップ）を、ユーザー７０２の左側から（例えば、ユーザーが道路６０２に沿って歩いていると、繰り返し道路６０２から）発するオーディオを伴うように個人用に設定された雰囲気をリスナーに与えるオーディオ・データにしたがって、ユーザー７０２に送信することができる。
【０１２０】
[0128]  同様に、建物６１２、６１４、６１６、６１８、６２０、および６２２、地所７５６、ならびに地点６２８にそれぞれ付随し、個人用に設定された抜粋コメント７４８、７５０、７５２、７５４、７５５、７５６、７５８、７６０、７６２、７６４、７６６、および７６８（例えば、それぞれ、コメント６４８、６５０、６５２、６５４、６５５、６５６、６５８、６６０、６６２、６６４、６６６、および６６８から派生され、個人用に設定された抜粋クリップ）も、ユーザーが道路６０２に沿って歩くに連れて、ユーザー７０２に関連し動的に変化する位置に関して、それぞれの建物、地所、または時点の方向および位置から発するオーディオを伴うように個人用に設定された雰囲気をリスナーに与えるオーディオ・データにしたがって、ユーザー７０２に送信することができる。
【０１２１】
[0129]  先に論じたように、送信されるオーディオ・データは、ユーザー７０２に関連し動的に変化する位置に関する、それぞれの建物、地所、または時点の距離および角度について、個人用に設定した雰囲気をリスナーに与えることができる。また、送信するオーディオは、ユーザー７０２に関連する属性に従って変調することもできる。例えば、ユーザー７０２がマイク（例えば、コメント６４２を寄稿した人）である場合、マイクは、求婚に関して悲しい（または嬉しい）感じで、彼の声を模擬した、個人用設定オーディオ・データを受信することができる。また、マイクは、エープリルに関連する追加の個人用設定オーディオ・クリップも受信することができる（例えば、マイクに関連するソーシャル・ネットワークを通じて入手可能であるかもしれない、結婚式の日からの結婚の誓いまたは音楽の記録）。
【０１２２】
[0130]  他の例として、個人用に設定された抜粋コメント７６６は、道路の向かい側にあり既にユーザー７０２が通過した位置から発するオーディオを伴うように個人用に設定された雰囲気をリスナーに与えるオーディオ・データにしたがって、ユーザー７０２に送信することもできる。例えば、個人用に設定された抜粋コメント７６６は、ユーザー７０２の現在の位置に対して現在前方左側に近接する建物６０８に付随する、個人用に設定された抜粋コメント７３６よりも低いレベルの明瞭さおよび／または音量で、ユーザー７０２に送信することができる。
【０１２３】
[0131]  一実施形態例によれば、図７に示すような、個人用に設定された抜粋コメントを繰り返し一緒に混合することができ、互いに時間的に異なる音程および音量で織り交ぜるまたは重ね合わせることもでき、道路６０２に関する情報を個人用に設定した動的オーディオ・モザイクと同様の効果が得られる。これは、ユーザー７０２が道路６０２に沿って歩いて行くに連れて、そしてプレゼンテーション管理システム１０２に情報が動的に追加または寄稿されるに連れて、動的に変化することができる。
【０１２４】
[0132]  図８は、図１のシステムの動作に関係するユーザーの行動例を示す。図８に示すように、ユーザー７０２が、図７に示す図から、右から左の方向に、そして道路６０２を横切って、道路６０２に沿って歩いている。
【０１２５】
[0133]  図８に示すように、第２ユーザー８０２がユーザー７０２に向かって道路６０２に沿って歩きながら、コメント８０４を寄稿している。一実施形態例によれば、クラウド・ソース・データ・コンポーネント１５２は、コメント８０４を、道路６０２の地理的ロカールに関連するクラウド・ソース・データ１５４として、処理およびデータベース１１６における格納のために、取り込むことができる。
【０１２６】
[0134]  図８の例では、ユーザー７０２および８０２の両人はコメントを共有することに同意しており、ユーザー７０２は個人用設定オーディオ・ストリーム（例えば、受信デバイス１４０によって、プレゼンテーション管理システム１０２から）を受信している。この個人用設定オーディオ・ストリームは、コメント８０４またはコメント８０４に基づく個人用設定抜粋コメントのブロードキャスト、および地点６２６に関連する個人用設定抜粋クリップ８４４（歌「恋は水色」に関連する音楽）を含む。先に論じたように、個人用設定抜粋コメントの各々は、ユーザー７０２に関連する現在の位置、進行方向、コンテキスト上の好み、および速度に関して、コメントの発信元に関連する位置から発したオーディオを伴うように個人用に設定された雰囲気をリスナーに与えるオーディオ・データにしたがって、そしてユーザー７０２に関連する情報／属性に基づいて、ユーザー７０２に送信することができる。
【０１２７】
[0135]  本明細書において論じた技法例は、空間プレゼンテーション配信サービスの一例を提供する。このサービスは、地理的ロカールをユーザーが通過しつつ、その地理的ロカールに関連するエンティティに関する情報のオーディオ・ストリームを得るために、この地理的ロカールをナビゲートするときに、ユーザーが用いることができる。
【０１２８】
[0136]  オンライン環境では、長年にわたって顧客のプライバシーおよび秘密性が、常に検討課題になっている。このため、空間プレゼンテーション配信サービスは、ユーザーがユーザー・プロファイルと関連付けて使用する個人情報を提供することに伴う危険性に関する情報をユーザーに提供することができる。空間プレゼンテーション配信サービスは、潜在的ユーザーが、登録の代わりに、個別の単発サービス単位のサービスを使用する選択肢を提供することができる。登録の場合、ユーザー情報は、今後空間プレゼンテーション送信の要求があったときに引き出すために、永続的に格納される場合がある。また、空間プレゼンテーション配信サービスは、ユーザー情報を他のエンティティと共有する前に、潜在的なユーザーに許可を要求することもできる。空間プレゼンテーション配信サービスは、潜在的にユーザーに、彼／彼女が空間プレゼンテーション送信を受信できることを通知することができ、そしてオンライン・アドレス（即ち、空間プレゼンテーションを送信する目標として）およびユーザーが提供することを選択できる他のいずれかの任意情報（例えば、性別、年齢層、収入層、人種、個人的な好みの許可）以外の個人情報を、サービスの全てのユーザーに対して送信データの選択を更新するときに用いるために提供することをユーザーが断ってもよいことを通知することができる。
【０１２９】
[0137]  空間プレゼンテーション配信サービスは、電子的に格納された個人／秘密情報の潜在的な危険性についてユーザーに確実に伝えるために、ユーザーの個人情報がシステムに入力される前に、許可を確認する電子メールを送るために電子メール・アドレスを要求することができる。更に、ユーザーが空間プレゼンテーション配信サービスを使用し続けるために、認証技法を含むこともできる。例えば、ユーザー識別子およびパスワードを、今後のシステムへのアクセスのために要求することができる。他の例として、許可された指紋または音声識別（例えば、音声認識）をアクセスのために要求することもできる。加えて、システムのネットワーク接続されたエレメントへのアクセスは、安全を確保された接続（またはハードワイヤ接続）を通じて設けることができ、システムへの潜在的なハッキングの危険性を最小限に抑えるために、ファイアウォールを設けることもできる。
【０１３０】
[0138]  本明細書において説明した種々の技法の実施態様は、ディジタル電子回路、あるいはコンピューター・ハードウェア、ファームウェア、ソフトウェア、またはこれらの組み合わせで実現することができる。実施態様は、コンピューター・プログラム生産物として実現することもできる。即ち、データ処理装置、例えば、プログラマブル・プロセッサー、コンピューター、または多数のコンピューターによる実行のためまたはその動作を制御するために情報担体、例えば、機械使用可能または機械読み取り可能記憶デバイス（例えば、ユニバーサル・シリアル・バス（ＵＳＢ）記憶デバイス、テープ、ハード・ディスク・ドライブ、コンパクト・ディスク、ディジタル・ビデオ・ディスク（ＤＶＤ）等のような磁気またはディジタル媒体）、または伝搬信号内に実体的に具体化されたコンピューター・プログラムとして実現することもできる。以上で説明したコンピューター・プログラム（１つまたは複数）のようなコンピューター・プログラムは、コンパイル型またはインタプリタ型言語を含むいずれの形態のプログラミング言語で書くこともでき、単体プログラムとして、あるいはモジュール、コンポーネント、サブルーチン、または計算環境における使用に適したその他のユニットとしての形態を含む、あらゆる形態で装備することができる。以上で論じた技法を実現することができるコンピューター・プログラムは、１つのコンピューター上で、あるいは１ヶ所におけるまたは多数の場所に跨がって分散され通信ネットワークによって相互接続された多数のコンピューター上で実行するように配備することができる。
【０１３１】
[0139]  方法ステップは、入力データに対して動作し出力を生成することによって機能を実行するコンピューター・プログラムを実行する１つ以上のプログラマブル・プロセッサーによって実行することができる。１つ以上のプログラマブル・プロセッサーは、並列に命令を実行することができ、および／または分散処理のために分散構成に配置することもできる。また、方法ステップは、特殊目的論理回路、例えば、ＦＧＰＡ（フィールド・プログラマブル・ゲート・アレイ）またはＡＳＩＣ（特定用途集積回路）によって実行することもでき、装置は、この特殊目的論理回路として実現することができる。
【０１３２】
[0140]  コンピューター・プログラムの実行に適したプロセッサーは、一例として、汎用および特殊目的マイクロプロセッサーの双方、ならびにあらゆる種類のディジタル・コンピューターのいずれか１つ以上のプロセッサーを含む。一般に、プロセッサーは、命令およびデータをリード・オンリー・メモリまたはランダム・アクセス・メモリあるいは双方から受け取る。コンピューターのエレメントは、命令を実行する少なくとも１つのプロセッサーと、命令およびデータを格納する１つ以上のメモリ・デバイスとを含むことができる。一般に、コンピューターは、データを格納する１つ以上の大容量記憶デバイス、例えば、磁気、光磁気ディスク、または光ディスクを含むことができ、あるいはこれらからデータを受け取るまたはこれらにデータを転送するように動作的に結合されているのでもよい。コンピューター・プログラム命令およびデータを具体化するのに適した情報担体は、あらゆる形態の不揮発性メモリを含む。一例として、不揮発性メモリは、半導体メモリ・デバイス、例えば、ＥＰＲＯＭ、ＥＥＰＲＯＭ、およびフラッシュ・メモリ・デバイス；磁気ディスク、例えば、内部ハード・ディスクまたはリムーバブル・ディスク；光磁気ディスク；ならびにＣＤ  ＲＯＭおよびＤＶＤ−ＲＯＭディスクを含む。プロセッサーおよびメモリは、特殊目的論理回路によって補足すること、またはその中に組み込むこともできる。
【０１３３】
[0141]  ユーザーとの対話処理に備えるために、実施態様は、情報をユーザーに表示するためのディスプレイ・デバイス、例えば、陰極線管（ＣＲＴ）または液晶ディスプレイ（ＬＣＤ）モニタならびにキーボードおよびポインティング・デバイス、例えば、マウスまたはトラックボールを有するコンピューター上に実装することもできる。ユーザーは、これらによって、入力をコンピューターに供給することができる。ユーザーとの対話処理に備えるために、他の種類のデバイスも用いることができる。例えば、ユーザーに提供するフィードバックは、あらゆる形態の感覚的フィードバック、例えば、視覚的フィードバック、聴覚的フィードバック、または触覚的フィードバックとすることができ、ユーザーからの入力は、オーディオ、音声、または接触入力を含むあらゆる形態で受け取ることができる。
【０１３４】
[0142]  実施態様は、バック・エンド・コンピューターを含む計算システム、例えば、データ・サーバー、またはミドルウェア・コンポーネントを含む計算システム、例えば、アプリケーション・サーバー、またはフロント・エンド・コンポーネントを含む計算システム、例えば、グラフィカル・ユーザー・インターフェースまたはウェブ・ブラウザを有しこれを通じてユーザーが実施態様と対話処理することができるクライアント・コンピューター、あるいはこのようなバック・エンド、ミドルウェア、またはフロント・エンド・コンポーネントのあらゆる組み合わせを含む計算システムにおいて実現することができる。コンポーネントは、あらゆる形態または媒体のディジタル・データ通信、例えば、通信ネットワークによってでも相互接続することができる。通信ネットワークの例には、ローカル・エリア・ネットワーク（ＬＡＮ）およびワイド・エリア・ネットワーク（ＷＡＮ）、例えば、インターネットが含まれる。
【０１３５】
[0143]  以上、主題について構造的特徴および／または方法論的動作(act)に特定的な文言で説明したが、添付した特許請求の範囲において定められる主題は、必ずしも以上で説明した具体的な特徴や動作に限定されるとは限らないことは理解されてしかるべきである。逆に、以上で説明した具体的な特徴や動作は、特許請求の範囲を実現する形態例として開示したまでである。記載した実施態様のある種の特徴は、本明細書において説明したように例示したが、今では多くの変更、交換、変更、および均等が当業者には想起されよう。したがって、添付した特許請求の範囲は、実施形態の範囲に該当するこのような修正や変更の全てを包含することを意図していることは、理解されてしかるべきである。
【図１】
0006053775.tif 000002
【図２】
0006053775.tif 000003
【図３ａ】
0006053775.tif 000004
【図３ｂ】
0006053775.tif 000005
【図３ｃ】
0006053775.tif 000006
【図３ｄ】
0006053775.tif 000007
【図３ｅ】
0006053775.tif 000008
【図４】
0006053775.tif 000009
【図５ａ】
0006053775.tif 000010
【図５ｂ】
0006053775.tif 000011
【図６】
0006053775.tif 000012
【図７】
0006053775.tif 000013
【図８】
0006053775.tif 000014